(57)【要約】  ネットワークの帯域を逼迫させることなく、受電地点における電圧の逸脱を検出することができる電圧逸脱検出装置を提供する。互いに異なる複数の時刻にそれぞれ計測された複数の電圧値を統計処理することより電圧統計情報が生成される。各スマートメーターから電圧統計情報が収集される。複数のスマートメーターから収集対象が選定される。その際には、電圧統計情報に基づいて各スマートメーターを収集対象に選定するか否かが決定される。収集対象から瞬時電圧値が収集される。瞬時電圧値に基づいて、収集対象が設置された受電地点における電圧の規定された範囲からの逸脱の有無が判定される。
2019176091.tif 000002
【特許請求の範囲】
【請求項１】
複数の受電地点にそれぞれ設置された複数のスマートメーター（１０２１）の各スマートメーター（１０４０）からスマートメーター向け通信インフラストラクチャー（１０２２）を介して互いに異なる複数の時刻にそれぞれ計測された複数の電圧値を統計処理することより生成された電圧統計情報（１０８０）を収集し、前記複数のスマートメーター（１０２１）から選定された収集対象（１２００）から前記スマートメーター向け通信インフラストラクチャー（１０２２）を介して瞬時電圧値（１０８１）を収集する収集部（１１６０）と、
前記電圧統計情報（１０８０）を保存する電圧統計情報保存部（１１６１）と、
前記瞬時電圧値（１０８１）を保存する瞬時電圧値保存部（１１６２）と、
前記電圧統計情報保存部（１１６１）から前記電圧統計情報（１０８０）を取得し、前記複数のスマートメーター（１０２１）から前記収集対象（１２００）を選定し、前記電圧統計情報（１０８０）に基づいて前記各スマートメーター（１０４０）を前記収集対象（１２００）に選定するか否かを決定する選定部（１１６３）と、
前記収集対象（１２００）を特定する情報（１２６０）を保存する収集対象保存部（１１６４）と、
前記瞬時電圧値保存部（１１６２）から前記瞬時電圧値（１０８１）を取得し、前記瞬時電圧値（１０８１）に基づいて前記収集対象（１２００）が設置された受電地点における電圧の規定された範囲からの逸脱の有無を判定する判定部（１１６５）と、
前記逸脱の内容を保存する逸脱情報保存部（１１６６）と、
を備える電圧逸脱検出装置（１１４０，２１４０，３１４０，４１４０，５１４０）。
【請求項２】
電力配電系統（１０２０）に設けられた複数の柱上トランス（１０６２）の各柱上トランス（１１００）を特定する第１の情報（２３２０）、及び前記第１の情報（２３２０）に紐づけられた、前記各柱上トランス（１１００）に電気的に接続された少なくとも１個の受電地点の各受電地点に設置されたスマートメーターを特定する第２の情報（２３４１）を含む一覧情報を保存する一覧情報保存部（２１６７）をさらに備え、
前記選定部（１１６３）は、前記一覧情報保存部（２１６７）から前記一覧情報を取得し、前記一覧情報に基づいて同一の柱上トランスに電気的に接続された２個以上の受電地点にそれぞれ設置された２個以上のスマートメーターを特定し、前記２個以上のスマートメーターから前記収集対象（１２００）を選定する場合に、前記２個以上のスマートメーターからただ１個の収集対象（１２００）を選定する
請求項１の電圧逸脱検出装置（２１４０）。
【請求項３】
前記各スマートメーター（１０４０）は、センターサーバ（１０２３）と通信し、
前記各スマートメーター（１０４０）と前記センターサーバ（１０２３）との疎通に関する成功率を示す前記各スマートメーター（１０４０）の通信成功率（３３８１）を保存する通信成功率保存部（３１６８）をさらに備え、
前記選定部（１１６３）は、前記通信成功率保存部（３１６８）から前記各スマートメーター（１０４０）の通信成功率（３３８１）を取得し、前記２個以上のスマートメーターにおいて最高の通信成功率を有するスマートメーター（１０４０）を前記収集対象（１２００）にする
請求項２の電圧逸脱検出装置（３１４０）。
【請求項４】
前記収集部（１１６０）は、前記収集対象（１２００）から前記スマートメーター向け通信インフラストラクチャー（１０２２）を介して瞬時電流値をさらに収集し、
前記瞬時電圧値保存部（１１６２）は、前記瞬時電流値をさらに保存し、
前記各受電地点を前記各柱上トランス（１１００）に電気的に接続する配電線の線路抵抗値を保存する設備情報保存部（４１６９）と、
前記各受電地点の需要家の契約内容を保存する契約情報保存部（４１７０）と、
前記瞬時電圧値保存部（１１６２）から前記瞬時電流値を取得し、前記一覧情報保存部（２１６７）から前記一覧情報を取得し、前記一覧情報に基づいて前記収集対象（１２００）が設置された受電地点（４５２０）が電気的に接続された柱上トランス（４５４０）に電気的に接続された少なくとも１個の隣接受電地点を特定し、前記設備情報保存部（４１６９）を検索し、前記収集対象（１２００）が設置された受電地点（４５２０）を前記柱上トランス（４５４０）に電気的に接続する第１の配電線（４５６０）の線路抵抗値、及び前記少なくとも１個の隣接受電地点の各隣接受電地点（４５２１）を前記柱上トランス（４５４０）に電気的に接続する第２の配電線（４５６１）の線路抵抗値を取得し、前記契約情報保存部（４１７０）を検索し、前記各隣接受電地点（４５２１）の需要家（４５８１）の契約内容を取得し、前記瞬時電圧値（１０８１）、前記瞬時電流値、前記第１の配電線（４５６０）の線路抵抗値、前記第２の配電線（４５６１）の線路抵抗値、及び前記各隣接受電地点（４５２１）の需要家（４５８１）の契約内容に基づいて前記各隣接受電地点（４５２１）における電圧の逸脱の可能性の有無の推定を行う推定部（４１７１）と、
前記推定の結果を保存する推定結果保存部（４１７２）と、
をさらに備える請求項２又は３の電圧逸脱検出装置（４１４０）。
【請求項５】
前記各スマートメーター（１０４０）は、センターサーバ（１０２３）と通信し、
前記各スマートメーター（１０４０）が電文を送信した時刻、及び前記センターサーバ（１０２３）が前記電文を受信した時刻から、前記各スマートメーター（１０４０）が通信に要した時間を示す前記各スマートメーター（１０４０）の通信時間（５７０２）を計算する通信時間計算部（５１７４）と、
前記各スマートメーター（１０４０）の通信時間（５７０２）を保存する通信時間保存部（５１７４）と、
前記通信時間保存部（５１７４）から前記各スマートメーター（１０４０）の通信時間（５７０２）を取得し、前記各スマートメーター（１０４０）の通信時間（５７０２）を複数の時間帯に分類し、前記複数の時間帯の各時間帯に分類された前記各スマートメーター（１０４０）の通信時間に基づいて前記各時間帯における前記各スマートメーター（１０４０）の通信の混雑度を推定し、前記通信の混雑度を示す指標（５７６２）を生成する混雑度推定部（５１７５）と、
前記指標（５７６２）を保存する推定混雑度保存部（５１７６）と、
をさらに備え、
前記収集部（１１６０）は、同一の時間帯に２個以上の収集対象から前記瞬時電圧値（１０８１）を収集する場合に、前記同一の時間帯における前記２個以上の収集対象の各々の通信の混雑度を示す指標（５７６２）を前記推定混雑度保存部（５１７６）から取得し、前記同一の時間帯における通信の混雑度が低い順に前記２個以上の収集対象から前記瞬時電圧値（１０８１）を収集する
請求項１から４までのいずれかの電圧逸脱検出装置（５１４０）。
【発明の詳細な説明】
【技術分野】
【０００１】
本発明は、電圧逸脱検出装置に関する。
【背景技術】
【０００２】
電力配電系統は、一般的に言って、高圧区間、柱上トランス及び低圧区間を備える。高圧区間は、配電用変電所から柱上トランスまで高圧電力を伝送する。柱上トランスは、伝送されてきた高圧電力を変圧し低圧電力を生成する。低圧区間は、生成された低圧電力を変圧器から低圧区間の末端の受電地点まで伝送する。【０００３】
高圧区間は、電圧調整器を備える。電圧調整器には、制御パラメータが設定される。電圧調整器は、設定された制御パラメータに従って高圧区間により伝送される高圧電力の電圧を調整する。【０００４】
受電地点における電圧は、法令により規定されている。例えば、日本においては、受電地点における電圧は、法令により９５Ｖ以上１０７Ｖ以下に規定されている。しかし、すべての受電地点における電圧が計測されているわけではないため、すべての受電地点における電圧の分布の実態は把握されていない。【０００５】
近年においては、電力配電系統に電気的に接続された多数の太陽光パネルが導入されている。また、太陽光パネルが発電する電力は、日射量が急変動した場合に急変動する。このため、近年においては、日射量が急変動した場合に高圧区間における電圧の逸脱が検出されないにもかかわらず受電地点における電圧が規定された範囲から逸脱してしまう可能性が高くなりつつある。【０００６】
電圧調整器には、電圧調整器が設置された当初に設定された制御パラメータが永久的に設定されたままとなっている。すなわち、電圧調整器に設定された制御パラメータが実態に即しているか否かはチェックされていない。このため、電圧調整器に設定された制御パラメータの適性が不明な状態で電圧調整器は使用されている。したがって、より適切な制御パラメータが存在するにもかかわらず、より適切な制御パラメータが電圧調整器に反映されずにいる。電圧調整器に適切な制御パラメータが設定されないことも、受電地点における電圧が規定された範囲から逸脱してしまう原因になる。【０００７】
一方で、日本及び外国において、次世代電力量計としてスマートメーターが導入されている。スマートメーターは、計測機能及び通信機能を有し、スマートメーターが設置された受電地点における電力の使用量を計測し、計測した電力の使用量をスマートメーターネットワークを介してセンターサーバに送信する。これにより、電力の使用量の検針を自動化することができる。スマートメーターは、スマートメーターが設置された受電地点における電圧、電流等を計測することもでき、計測した電圧、電流等を、スマートメーターネットワークを介してセンターサーバに送信することもできる。このため、スマートメーターが設置された受電地点においては、スマートメーターにより電圧の計測、電流の計測等の様々な計測を行うことができる。また、様々な計測の結果は、センターサーバにより収集することができる。したがって、多数の受電地点にスマートメーターが設置された場合は、多数の受電地点における電圧の分布を細やかに把握することができる。【０００８】
外国の一部の地域においては、スマートメーターの普及率が１００％に近付いており、そうでない地域においても、スマートメーターの普及率が今後高くなってゆくことが予想されている。【０００９】
スマートメーターの普及に伴って、計測装置となる別のデバイスをスマートメーターに接続し、接続されたデバイスの計測値をスマートメーターを介してセンターサーバに送信するといった、通信インフラストラクチャーの活用も始まっている。【００１０】
スマートメーターは、全ての受電地点に設置されるという特徴を有する。また、通信インフラストラクチャーを構成するスマートメーターネットワークは、通信に要するコストを低く維持するために、メッシュネットワークが主流となっており、狭帯域であるという特徴を有する。このため、スマートメーター及びスマートメーターネットワークの活用は、これらの特徴を踏まえて行う必要がある。【００１１】
特許文献１に記載されたＡＭＩシステムにおいては、各スマートメーターから数時間に１回程度の頻度で電圧計測値が収集され（段落００１５）、全てのスマートメーターから特定のスマートメーターの絞り込みが行われ（段落００１６）、特定のスマートメーターからより高頻度で電圧計測値が収集される（段落００１６）。絞り込みは、電圧計測値間の類似度に基づいて行われる（段落００２５−００３３）。
【先行技術文献】
【特許文献】
【００１２】
【特許文献１】特開２０１６−１８７２８６号公報
【発明の概要】
【発明が解決しようとする課題】
【００１３】
先述したように、近年においては、受電地点における電圧が規定された範囲から逸脱してしまう可能性が高くなりつつある。このため、受電地点における電圧を計測し受電地点における電圧の逸脱を検出することが望まれている。【００１４】
しかし、太陽光パネルが発生する電力は、時々刻々と変化する日照の程度に応じて時々刻々と変化するため、太陽光パネルの出力電圧には、短周期のゆらぎが含まれる。このため、受電地点における電圧の逸脱を検出するためには、数秒から１分の間隔で受電地点における電圧を計測する必要がある。加えて、受電地点における電圧の逸脱の原因を推定するためには、単一の受電地点における電圧の計測値の時間変化だけでなく、複数の受電地点における同時刻断面の電圧の計測値が必要になる。【００１５】
多数の受電地点における電圧を数秒から１分の間隔で計測するためには、インフラストラクチャーへの多大な投資が必要になる。しかし、スマートメーター及びスマートメーターにより構成されるスマートメーターネットネットワークを活用することにより、低コストで受電地点における電圧の計測値を収集することが可能になると考えられる。【００１６】
とはいえ、全ての受電地点における電圧の計測値を収集するために、全ての受電地点における電圧を計測し、計測した電圧の計測値を、スマートメーターネットワークを介してセンターサーバに送信した場合は、スマートメーターネットワークの帯域が逼迫する恐れがある。スマートメーターネットワークは、電力の使用量の検針、並びにスマートメーターに対する制御及び設定を行うために提供されているため、電圧の計測値の収集のためにスマートメーターネットワークの帯域を逼迫させることはできず、電圧の計測値の収集はスマートメーターネットワークの空き帯域を効率的に使用して行われなければならない。したがって、スマートメーター及びスマートメーターネットネットワークを活用して受電地点における電圧の計測値を収集する場合は、通信回数を削減し、通信の全体量も可能な限り削減することが望まれる。【００１７】
なお、特許文献１に記載されたＡＭＩシステムと同様に、数時間に１回程度の頻度で電圧の計測値が送信されるすぎない場合であっても、電圧の計測値そのものがセンターサーバに送信されたときは、送信されるデータの量が増加しスマートメーターネットワークに影響を与える。【００１８】
本発明は、これらの問題を解決するためになされる。本発明が解決しようとする課題は、スマートメーター向け通信インフラストラクチャーを構成するスマートメーターネットワークの帯域を逼迫させることなく、受電地点における電圧の逸脱を検出することができる電圧逸脱検出装置を提供することである。
【課題を解決するための手段】
【００１９】
本発明は、電圧逸脱検出装置に向けられる。【００２０】
電圧逸脱検出装置は、収集部、電圧統計情報保存部、瞬時電圧値保存部、選定部、収集対象保存部、判定部及び逸脱情報保存部を備える。【００２１】
収集部は、複数の受電地点にそれぞれ設置された複数のスマートメーターの各スマートメーターからスマートメーター向け通信インフラストラクチャーを介して電圧統計情報を収集する。電圧統計情報は、互いに異なる複数の時刻にそれぞれ計測された複数の電圧値を統計処理することより生成される。【００２２】
電圧統計情報保存部は、電圧統計情報を保存する。【００２３】
選定部は、電圧統計情報保存部から電圧統計情報を取得し、複数のスマートメーターから収集対象を選定する。選定部は、電圧統計情報に基づいて各スマートメーターを収集対象に選定するか否かを決定する。【００２４】
収集対象保存部は、収集対象を特定する情報を保存する。【００２５】
収集部は、収集対象からスマートメーター向け通信インフラストラクチャーを介して瞬時電圧値を収集する。【００２６】
瞬時電圧値保存部は、瞬時電圧値を保存する。【００２７】
判定部は、瞬時電圧値保存部から瞬時電圧値を取得し、瞬時電圧値に基づいて収集対象が設置された受電地点における電圧の規定された範囲からの逸脱の有無を判定する。【００２８】
逸脱情報保存部は、逸脱の内容を保存する。
【発明の効果】
【００２９】
本発明によれば、スマートメーター向け通信インフラストラクチャーを構成するスマートメーターネットワークの帯域を逼迫させることなく、受電地点における瞬時電圧値を収集し、受電地点における電圧の逸脱を検出することができる電圧逸脱検出装置を提供することができる。【００３０】
この発明の目的、特徴、局面、および利点は、以下の詳細な説明と添付図面とによって、より明白となる。
【図面の簡単な説明】
【００３１】
【図１】実施の形態１の電圧逸脱検出装置を含む電圧逸脱検出システムを図示するブロック図である。
【図２】実施の形態１，２，３，４及び５の電圧逸脱検出装置における電圧統計情報及び瞬時電圧値の収集を説明する図である。
【図３】実施の形態１，２，３，４及び５の電圧逸脱検出装置に設けられた収集対象保存部に保存された情報の例を図示する図である。
【図４】実施の形態１，２，３，４及び５の電圧逸脱検出装置において行われる、電圧統計情報を収集する処理のフローの例を図示する図である。
【図５】実施の形態１、４及び５の電圧逸脱検出装置において行われる、瞬時電圧値を収集する処理のフローの例を図示する図である。
【図６】実施の形態１，２，３及び５の電圧逸脱検出装置において行われる、電圧の逸脱を検出する処理のフローの例を図示する図である。
【図７】実施の形態２の電圧逸脱検出装置を含む電圧逸脱検出システムを図示するブロック図である。
【図８】実施の形態２の電圧逸脱検出装置に設けられた一覧情報保存部に保存された情報の例を図示する図である。
【図９】実施の形態２の電圧逸脱検出装置において行われる、一覧情報を用いて瞬時電圧値を収集する処理のフローの例を図示する図である。
【図１０】実施の形態３の電圧逸脱検出装置を含む電圧逸脱検出システムを図示するブロック図である。
【図１１】実施の形態３の電圧逸脱検出装置に設けられた通信成功率保存部に保存された情報の例を図示する図である。
【図１２】実施の形態３の電圧逸脱検出装置において行われる、通信成功率を用いて瞬時電圧値を収集する処理のフローの例を図示する図である。
【図１３】実施の形態４の電圧逸脱検出装置を含む電圧逸脱検出システムを図示するブロック図である。
【図１４】実施の形態４の電圧逸脱検出装置を含む電圧逸脱検出システムに設けられた、柱上トランス、及び柱上トランスに電気的に接続された複数の受電地点を備える設備の例を模式的に図示する図である。
【図１５】実施の形態４の電圧逸脱検出装置に設けられた推定結果保存部に保存された推定の結果の例を図示する図である。
【図１６】実施の形態４の電圧逸脱検出装置において行われる、電圧の逸脱を推定する処理のフローの例を図示する図である。
【図１７】実施の形態５の電圧逸脱検出装置を含む電圧逸脱検出システムを図示するブロック図である。
【図１８】実施の形態５の電圧逸脱検出装置に設けられた通信時間保存部に保存された情報の例を図示する図である。
【図１９】実施の形態５の電圧逸脱検出装置に設けられた推定混雑度保存部に保存された情報の例を図示する図である。
【図２０】実施の形態５の電圧逸脱検出装置において行われる、混雑度を推定する処理のフローの例を図示する図である。
【図２１】実施の形態５の電圧逸脱検出装置において行われる、推定混雑度を用いて瞬時電圧値を収集する処理の処理フローの例を図示する図である。
【発明を実施するための形態】
【００３２】
１  実施の形態１
１．１  電圧逸脱検出システム
図１は、実施の形態１の電圧逸脱検出装置を含む電圧逸脱検出システムを図示するブロック図である。
【００３３】
図１に図示された電圧逸脱検出システム１０００は、電力配電系統１０２０、複数のスマートメーター（ＳＭ）１０２１、ＳＭ向け通信インフラストラクチャー１０２２、センターサーバ１０２３及び系統監視システム１０２４を備える。電圧逸脱検出システム１０００がこれらの要素以外の要素を備えてもよい。
【００３４】
電圧逸脱検出システム１０００においては、電力配電系統１０２０が、複数の受電地点に電力を供給する。複数の受電地点には、それぞれ複数のＳＭ１０２１が設置される。複数のＳＭ１０２１の各ＳＭ１０４０は、検針のために、各ＳＭ１０４０が設置された受電地点において使用された電力量を計測し、計測した電力量をＳＭ向け通信インフラストラクチャー１０２２を介してセンターサーバ１０２３に送信する。ＳＭ向け通信インフラストラクチャー１０２２は、無線マルチホップ方式、１：Ｎ無線方式、電力線通信（ＰＬＣ）方式等により構成される。系統監視システム１０２４は、電力配電系統１０２０を監視する。複数のＳＭ１０２１、ＳＭ向け通信インフラストラクチャー１０２２及びセンターサーバ１０２３は、電力量を自動的に検針するシステムを構成する。
【００３５】
１．２  電力配電系統
図１に図示された電力配電系統１０２０は、配電用変電所１０６０、高圧区間１０６１、複数の柱上トランス１０６２及び複数の低圧区間１０６３を備える。電力配電系統１０２０がこれらの要素以外の要素を備えてもよい。
【００３６】
高圧区間１０６１は、配電用変電所１０６０から複数の柱上トランス１０６２の各柱上トランス１１００の１次側まで高圧電力を伝送し、伝送した高圧電力を各柱上トランス１１００の１次側に入力する。各柱上トランス１１００は、１次側に入力された高圧電力を変圧して低圧電力を生成し、生成した低圧電力を２次側から出力する。複数の低圧区間１０６３の各低圧区間１１２０は、各低圧区間１１２０に電気的に接続された柱上トランス１０８０の２次側から出力された低圧電力を各低圧区間１１２０の末端の少なくとも１個の受電地点まで伝送する。これにより、複数の受電地点まで低圧電力が伝送される。
【００３７】
１．３  スマートメーター
図１に図示された各ＳＭ１０４０は、各ＳＭ１０４０が設置された受電地点における電圧値を計測する。また、各ＳＭ１０４０は、電圧統計情報１０８０を生成し、生成した電圧統計情報１０８０をＳＭ向け通信インフラストラクチャー１０２２を介してセンターサーバ１０２３に送信することができる。電圧統計情報１０８０は、互いに異なる複数の時刻にそれぞれ計測された複数の電圧値を統計処理することにより生成される。このため、電圧統計情報１０８０には、計測された電圧値の履歴が反映される。電圧統計情報１０８０は、予め定められた周期で計測された複数の電圧値の平均値、予め定められた期間内に計測された複数の電圧値の平均値、予め定められた期間内に計測された複数の電圧値の分散値、予め定められた期間内に計測された複数の電圧値におけるピーク電圧値、予め定められた期間内に計測された電圧値が規定された範囲外となった回数、予め定められた期間内に計測された電圧値が規定された範囲内と規定された範囲外との境界値に近づいた回数、予め定められた期間内に計測された電圧値が規定された範囲外となった際の計測された電圧値、予め定められた期間内に計測された電圧値が規定された範囲外となった際の電圧値の計測時刻等である。ピーク電圧値は、複数の電圧値における最小値又は最大値である。規定された範囲は、９５Ｖ以上１０７Ｖ以下の範囲等である。外付けの電圧計測装置が各ＳＭ１０４０に電気的に接続され、各ＳＭ１０４０が外付けの電圧計測装置により計測された複数の電圧値を統計処理することにより電圧統計情報１０８０を生成してもよい。
【００３８】
また、各ＳＭ１０４０は、各ＳＭ１０４０が設置された受電地点における瞬時電圧値１０８１を計測し、計測した瞬時電圧値１０８１をＳＭ向け通信インフラストラクチャー１０２２を介してセンターサーバ１０２３に送信することもできる。外付けの電圧計測装置が各ＳＭ１０４０に電気的に接続され、各ＳＭ１０４０が外付けの電圧計測装置により計測された瞬時電圧値１０８１を送信してもよい。各ＳＭ１０４０が、瞬時電圧値１０８１に加えて瞬時電圧値１０８１以外の瞬時計測値を計測し、瞬時電圧値１０８１に加えて計測した瞬時計測値を送信してもよい。瞬時電圧値１０８１以外の瞬時計測値は、瞬時電流値等である。
【００３９】
１．４  電圧逸脱検出装置
図１に図示されたセンターサーバ１０２３には、電圧逸脱検出装置１１４０が実装される。センターサーバ１０２３に実装された電圧逸脱検出装置１１４０が、センターサーバ１０２３に通信可能に接続された電圧逸脱検出装置に置き換えられてもよい。電圧逸脱検出装置１１４０には、ＳＭ向け通信インフラストラクチャー１０２２を介して各ＳＭ１０４０が通信可能に接続される。
【００４０】
電圧逸脱検出装置１１４０は、収集部１１６０、電圧統計情報保存部１１６１、瞬時電圧値保存部１１６２、選定部１１６３、収集対象保存部１１６４、判定部１１６５及び逸脱情報保存部１１６６を備える。電圧逸脱検出装置１１４０がこれらの要素以外の要素を備えてもよい。
【００４１】
収集部１１６０、電圧統計情報保存部１１６１、瞬時電圧値保存部１１６２、選定部１１６３、収集対象保存部１１６４、判定部１１６５及び逸脱情報保存部１１６６は、プログラムを実行するコンピューターにより実現される。収集部１１６０、電圧統計情報保存部１１６１、瞬時電圧値保存部１１６２、選定部１１６３、収集対象保存部１１６４、判定部１１６５及び逸脱情報保存部１１６６の全部又は一部が、プログラムを実行しないハードウェアにより実現されてもよい。
【００４２】
図２は、実施の形態１の電圧逸脱検出装置における電圧統計情報及び瞬時電圧値の収集を説明する図である。
【００４３】
電圧逸脱検出装置１１４０は、図２に説明されるように、複数のＳＭ１０２１の各ＳＭ１０４０から電圧統計情報１０８０を収集する。また、電圧逸脱検出装置１１４０は、図２に説明されるように、複数のＳＭ１０２１から選定された複数の収集対象１１８０の各収集対象１２００から瞬時電圧値１０８１を収集する。各ＳＭ１０４０を収集対象１２００に選定するか否かは、各ＳＭ１０４０から収集された電圧統計情報１０８０に基づいて決定される。
【００４４】
図１に図示された収集部１１６０は、センターサーバ１０２３により受信された電圧統計情報１０８０を取得し、取得した電圧統計情報１０８０を電圧統計情報保存部１１６１に格納する。これにより、収集部１１６０は、各ＳＭ１０４０からＳＭ向け通信インフラストラクチャー１０２２を介して電圧統計情報１０８０を収集する。また、電圧統計情報保存部１１６１は、収集された電圧統計情報１０８０を保存する。
【００４５】
また、収集部１１６０は、センターサーバ１０２３により受信された瞬時電圧値１０８１を取得し、取得した瞬時電圧値１０８１を瞬時電圧値保存部１１６２に格納する。これにより、収集部１１６０は、各収集対象１２００からＳＭ向け通信インフラストラクチャー１０２２を介して瞬時電圧値１０８１を収集する。また、瞬時電圧値保存部１１６２は、収集された瞬時電圧値１０８１を保存する。各収集対象１２００が瞬時電圧値１０８１以外の瞬時計測値も送信する場合は、収集部１１６０は、送信された瞬時計測値も収集し、瞬時電圧値保存部１１６２は、収集された瞬時計測値も保存する。
【００４６】
また、収集部１１６０は、収集した瞬時電圧値１０８１に紐づけて、収集した瞬時電圧値１０８１の計測時刻を瞬時電圧値保存部１１６２に格納する。これにより、瞬時電圧値保存部１１６２は、保存する瞬時電圧値１０８１に紐づけられた収集時刻を保存する。瞬時電圧値１０８１の計測時刻は、各収集対象１２００からＳＭ向け通信インフラストラクチャー１０２２を介して収集されてもよいし、瞬時電圧値１０８１を受信した時刻に基づいて特定されてもよい。
【００４７】
選定部１１６３は、電圧統計情報保存部１１６１から電圧統計情報１０８０を取得する。また、選定部１１６３は、図２に説明されるように複数のＳＭ１０２１から複数の収集対象１１８０を選定し、選定した各収集対象１２００を特定する情報であるＳＭ識別子（ＩＤ）を収集対象保存部１１６４に格納する。これにより、収集対象保存部１１６４は、選定された各収集対象１２００を特定するＳＭ ＩＤを保存する。ＳＭ ＩＤが、各収集対象１２００を特定する他の情報に置き換えられてもよい。各収集対象１２００は、電圧の逸脱が発生する可能性が高い受電地点に設置される、瞬時電圧値１０８１の収集対象となるＳＭである。各収集対象１２００からは、短い周期で瞬時電圧値１０８１が収集される。選定部１１６３は、複数のＳＭ１０２１から複数の収集対象１１８０を選定する際に、各ＳＭ１０４０から収集された電圧統計情報１０８０に基づいて各ＳＭ１０４０を収集対象１１８０に選定するか否かを決定する。
【００４８】
また、選定部１１６３は、選定した各収集対象１２００が設置された受電地点を特定する情報である受電地点ＩＤを、各収集対象１２００を特定する情報であるＳＭ ＩＤに紐づけて収集対象保存部１１６４に格納する。これにより、収集対象保存部１１６４は、保存するＳＭ ＩＤに紐づけられた受電地点ＩＤを保存する。収集対象保存部１１６４は、複数の受電地点のリストを表す複数の受電地点ＩＤを保存することができる。受電地点ＩＤが、受電地点を特定する他の情報に置き換えられてもよい。
【００４９】
また、選定部１１６３は、選定した各収集対象１２００が設置された受電地点における電圧の逸脱が発生する可能性が高い時間帯を特定し、特定した時間帯を挟む収集開始時刻及び収集終了時刻を決定し、決定した収集開始時刻及び収集終了時刻を各収集対象１２００を特定するＳＭ ＩＤに紐づけて収集対象保存部１１６４に格納する。これにより、収集対象保存部１１６４は、保存するＳＭ ＩＤに紐づけられた収集開始時刻及び収集終了時刻を保存する。
【００５０】
図３は、実施の形態１の電圧逸脱検出装置に設けられた収集対象保存部に保存された情報の例を図示する図である。
【００５１】
図３に図示された情報１２２０は、収集対象保存部１１６４に保存される。
【００５２】
情報１２２０は、複数のＳＭ ＩＤ１２４０を含み、複数のＳＭ ＩＤ１２４０の各ＳＭ ＩＤ１２６０に紐づけられた受電地点ＩＤ１２６１を含む。複数のＳＭ ＩＤ１２４０は、それぞれ複数の収集対象１１８０を特定する情報である。各ＳＭ ＩＤ１２６０に紐づけられた受電地点ＩＤ１２６１は、各ＳＭ ＩＤ１２６０により特定される収集対象１２００が設置された受電地点を特定する情報である。情報１２２０においては、複数のＳＭ ＩＤ１２４０にそれぞれ紐づけられた複数の受電地点ＩＤ１２４１がキーとなっている。したがって、情報１２２０によれば、受電地点から受電地点に設置された収集対象１２００を検索することができる。また、情報１２２０によれば、収集対象１２００から収集対象１２００が設置された受電地点を検索することもできる。
【００５３】
情報１２２０は、各ＳＭ ＩＤ１２６０に紐づけられた収集開始時刻１２６２及び収集終了時刻１２６３をさらに含む。各ＳＭ ＩＤ１２６０に紐づけられた収集開始時刻１２６２及び収集終了時刻１２６３は、それぞれ各ＳＭ ＩＤ１２６０により特定される収集対象１２００に対して指定される収集開始時刻及び収集終了時刻である。
【００５４】
図１に図示される判定部１１６５は、各収集対象１２００から収集された瞬時電圧値１０８１を瞬時電圧値保存部１１６２から取得し、取得した瞬時電圧値１０８１に基づいて各収集対象１２００が設置された受電地点における電圧の規定された範囲からの逸脱の有無を判定し、逸脱の内容を逸脱情報保存部１１６６に格納する。これにより、逸脱情報保存部１１６６は、逸脱の内容を含む逸脱情報を保存する。逸脱の内容は、電圧の逸脱が発生した受電地点、当該受電地点における電圧の逸脱量、当該受電地点における電圧の逸脱時刻等を含む。
【００５５】
１．５  電圧統計情報を収集する処理
図４は、実施の形態１の電圧逸脱検出装置において行われる、電圧統計情報を収集する処理のフローの例を図示する図である。
【００５６】
電圧統計情報１０８０を収集する処理においては、図４に図示されたステップＳ１０１からＳ１０３までが順次に実行される。
【００５７】
ステップＳ１０１においては、各ＳＭ１０４０が、予め定められた周期で電圧値を計測し、電圧統計情報１０８０を計算する。
【００５８】
続くステップＳ１０２においては、各ＳＭ１０４０が、計算した電圧統計情報１０８０をＳＭ向け通信インフラストラクチャー１０２２を介して収集部１１６０に送信する。電圧統計情報１０８０は、予め定められたタイミングに送信されてもよいし、検針のために送信される電力量に付随して送信されてもよい。
【００５９】
続くステップＳ１０３においては、収集部１１６０が、受信した電圧統計情報１０８０を電圧統計情報保存部１１６１に格納する。
【００６０】
１．６  瞬時電圧値を収集する処理
図５は、実施の形態１の電圧逸脱検出装置において行われる、瞬時電圧値を収集する処理のフローの例を図示する図である。
【００６１】
瞬時電圧値１０８１を収集する処理においては、図５に図示されたステップＳ１１１からＳ１１７までが順次に実行される。
【００６２】
ステップＳ１１１においては、選定部１１６３が、電圧統計情報保存部１１６１から電圧統計情報１０８０を取得する。
【００６３】
続くステップＳ１１２においては、選定部１１６３が、各収集対象１２００を選定し、選定した各収集対象１２００が設置された受電地点を選定し、選定した受電地点における電圧の逸脱が発生する可能性が高い時間帯を特定し、特定した時間帯を挟む収集開始時刻及び収集終了時刻を決定する。選定される各収集対象１２００は、電圧の逸脱が発生した受電地点、電圧の逸脱は発生していないが平均値、ピーク電圧値等が規定された範囲内と規定された範囲外との境界値に近い受電地点、日射量が不安定であるために電力配電系統１０２０に電気的に接続された太陽光パネルの出力に揺らぎが含まれていたと思われる時間帯にピーク電圧値が発生していた受電地点等に設置されたＳＭである。ピーク電圧値等が境界値に近いとは、ピーク電圧値等と境界値との差の絶対値が予め定められた基準より小さいことである。例えば、規定された範囲が９５Ｖ以上１０７Ｖ以下の範囲であり基準が１Ｖである場合は、ピーク電圧値等が９５Ｖ以上９６Ｖ以下又は１０６Ｖ以上１０７Ｖ以下である場合にピーク電圧値等が境界値に近いと判定される。選定される受電地点は、当時のより詳細な情報が必要であると思われる受電地点、今後さらに調査が必要であると思われる受電地点等である。選定は、予め定められたルールにしたがって行われる。
【００６４】
続くステップＳ１１３においては、選定部１１６３が、選定した各収集対象１２００を特定する情報であるＳＭ ＩＤ１２６０を収集対象保存部１１６４に格納する。また、選定部１１６３は、選定した受電地点を特定する情報である受電地点ＩＤ１２６１を収集対象保存部１１６４に格納する。また、選定部１１６３は、決定した収集開始時刻１２６２及び収集終了時刻１２６３を収集対象保存部１１４４に格納する。
【００６５】
続くステップＳ１１４においては、収集部１１６０が、収集対象保存部１１６４から各ＳＭ ＩＤ１２６０を取得する。また、収集部１１６０は、収集対象保存部１１６４から各ＳＭ ＩＤ１２６０に紐づけられた受電地点ＩＤ１２６１を取得する。また、収集部１１６０は、収集対象保存部１１６４から各ＳＭ ＩＤ１２６０に紐づけられた収集開始時刻１２６２及び収集終了時刻１２６３を取得する。
【００６６】
続くステップＳ１１５においては、収集部１１６０が、取得した各ＳＭ ＩＤ１２６０により特定される各収集対象１２００に計測送信要求を送信する。計測送信要求は、各収集対象１２００が瞬時電圧値１０８１を計測し計測した瞬時電圧値１０８１を収集部１１６０に送信することの要求を含む。計測送信要求においては、取得した収集開始時刻１２６２、計測周期、取得した収集終了時刻１２６３等のパラメータが指定される。計測送信要求が、瞬時電圧値１０８１以外の瞬時計測値を計測し計測した瞬時計測値を収集部１１６０に送信することの要求を含んでもよい。瞬時計測値は、瞬時電流値等である。計測送信要求は、各収集対象１２００を特定する情報であるＳＭ ＩＤ１２６０の複数のＳＭ ＩＤ１２４０における記載順に各収集対象１２００に送信される。
【００６７】
続くステップＳ１１６においては、各収集対象１２００が、収集部１１６０から計測送信要求を受信し、受信した計測送信要求において指定された収集開始時刻１２６２から受信した計測送信要求において指定された収集終了時刻１２６３までの間に、受信した計測送信要求において指定された周期で、瞬時電圧値１０８１を計測し、瞬時電圧値１０８１を計測した直後に、計測した瞬時電圧値１０８１をＳＭ向け通信インフラストラクチャー１０２２を介して収集部１１６０に送信する。ただし、指定された周期が別途定義されている時間より短い場合は、複数の瞬時電圧値１０８１がひとまとめにされ、別途定義されている時間に一致する周期で、ひとまとめにされた複数の瞬時電圧値１０８１が送信される。計測送信要求が、瞬時電圧値１０８１以外の瞬時計測値を計測し計測した瞬時計測値を収集部１１６０に送信することの要求を含む場合は、各収集対象１２００は、瞬時電圧値１０８１に加えて瞬時電圧値１０８１以外の瞬時計測値も送信する。
【００６８】
続くステップＳ１１７においては、収集部１１６０が、各収集対象１２００から瞬時電圧値１０８１を受信し、受信した瞬時電圧値１０８１を各収集対象１２００が設置された受電地点を特定する情報である受電地点ＩＤ及び受信した瞬時電圧値１０８１の計測時刻と紐づけて瞬時電圧値保存部１１６２に格納する。各収集対象１２００が瞬時電圧値１０８１に加えて瞬時電圧値１０８１以外の瞬時計測値を送信した場合は、収集部１１６０は、送信された瞬時計測値も瞬時電圧値保存部１１６２に格納する。
【００６９】
１．７  電圧の逸脱を検出する処理
図６は、実施の形態１の電圧逸脱検出装置において行われる、電圧の逸脱を検出する処理のフローの例を図示する図である。
【００７０】
電圧の逸脱を検出する処理においては、図６に図示されたステップＳ１２１からＳ１２４までが順次に実行される。
【００７１】
ステップＳ１２１においては、判定部１１６５が、瞬時電圧値保存部１１６２から瞬時電圧値１０８１、並びに瞬時電圧値１０８１に紐づけられた受電地点ＩＤ及び計測時刻を取得する。
【００７２】
続くステップＳ１２２においては、判定部１１６５が、取得した瞬時電圧値１０８１が規定された範囲内である場合は、取得した瞬時電圧値１０８１に紐づけられた受電地点ＩＤにより特定される受電地点における電圧の逸脱が発生していないと判定し、取得した瞬時電圧値１０８１が規定された範囲外である場合は、取得した瞬時電圧値１０８１に紐づけられた受電地点ＩＤにより特定される受電地点における電圧の逸脱が発生していると判定する。
【００７３】
続くステップＳ１２３においては、判定部１１６５が、電圧の逸脱の内容を逸脱情報保存部１１６６に格納する。
【００７４】
続くステップＳ１２４においては、外部装置である系統監視システム１０２４が、逸脱情報保存部１１６６にアクセスし、電圧の逸脱が発生している受電地点を特定する受電地点ＩＤ、電圧の逸脱が発生した際の計測時刻、及び電圧の逸脱が発生した際の瞬時電圧値１０８１を取得する。
【００７５】
１．８  実施の形態１の効果
一般的に言って、すべての受電地点に設置されたＳＭから瞬時電圧値１０８１がリアルタイムで収集された場合は、ＳＭ向け通信インフラストラクチャー１０２２を構成するネットワークの帯域が逼迫する。
【００７６】
しかし、実施の形態１によれば、瞬時電圧値１０８１の収集に先立って、各ＳＭ１０４０から複数の電圧値の特徴を抽出した電圧統計情報１０８０が収集される。また、収集された電圧統計情報１０８０に基づいて、電圧の逸脱が発生する可能性が高く電圧に関する詳細な情報が必要である受電地点に設置された収集対象１１８０が選定される。また、選定された収集対象１１８０のみから瞬時電圧値１０８１及びこれに付随する瞬時電流値その他の瞬時計測値が収集される。収集対象１１８０からの瞬時電圧値１０８１等の収集にあたっては、計測開始時間１２４２及び計測終了時間１２４３が指定された計測送信要求が収集対象１１８０に個別に送信され、当該受電地点において電圧の逸脱が発生する可能性が高く電圧に関する詳細な情報が必要である時間帯の瞬時電圧値１０８１等が収集される。これにより、ネットワークに与える負荷を減らすことができる。したがって、ネットワークの帯域を逼迫させることなく受電地点における電圧の逸脱を検出することができる。ネットワークに与える負荷を減らすことは、ネットワークの空き時間帯を活用することを可能にし、他の通信への影響を小さくすることに寄与する。
【００７７】
２  実施の形態２
図７は、実施の形態２の電圧逸脱検出装置を含む電圧逸脱検出システムを図示するブロック図である。
【００７８】
図７に図示された実施の形態２の電圧逸脱検出装置２１４０は、実施の形態１の電圧逸脱検出装置１１４０と同様に、収集部１１６０、電圧統計情報保存部１１６１、瞬時電圧値保存部１１６２、選定部１１６３、収集対象保存部１１６４、判定部１１６５及び逸脱情報保存部１１６６を備える。加えて、実施の形態２の電圧逸脱検出装置２１４０は、一覧情報保存部２１６７を備える。
【００７９】
実施の形態２の電圧逸脱検出装置２１４０に設けられた収集部１１６０、電圧統計情報保存部１１６１、瞬時電圧値保存部１１６２、選定部１１６３、収集対象保存部１１６４、判定部１１６５及び逸脱情報保存部１１６６の各要素は、実施の形態１の電圧逸脱検出装置１１４０に設けられた同名の要素と同様に動作しうる。また、図２は、実施の形態２の電圧逸脱検出装置における電圧統計情報及び瞬時電圧値の収集を説明する図でもある。また、図３は、実施の形態２の電圧逸脱検出装置に設けられた収集対象保存部に保存された情報の例を図示する図でもある。
【００８０】
図８は、実施の形態２の電圧逸脱検出装置に設けられた一覧情報保存部に保存された情報の例を図示する図である。
【００８１】
図８に図示された情報２２８０は、一覧情報保存部２１６７に保存され、系統情報２３００及び受電地点情報２３０１を含む。したがって、一覧情報保存部２１６７は、系統情報２３００を保存する系統情報保存部、及び受電地点情報２３０１を保存する受電地点情報保存部を結合したものである。
【００８２】
系統情報２３００は、複数の柱上トランス１０６２の各柱上トランス１１００を特定する情報である柱上トランスＩＤ２３２０、及び柱上トランスＩＤ２３２０に紐づけられた、各柱上トランス１１００に電気的に接続された少なくとも１個の受電地点をそれぞれ特定する情報である少なくとも１個の受電地点ＩＤ２３２１を含む。
【００８３】
受電地点情報２３０１は、複数の受電地点の各受電地点を特定する情報である受電地点ＩＤ２３４０、及び受電地点ＩＤ２３４０に紐づけられた、各受電地点に設置されたＳＭ１０４０を特定する情報であるＳＭ ＩＤ２３４１を含む。
【００８４】
一覧情報保存部２１６７は、系統情報２３００及び受電地点情報２３０１の組み合わせにより、各柱上トランス１１００を特定する柱上トランスＩＤ２３２０、及び柱上トランスＩＤ２３２０に紐づけられた、各柱上トランス１１００に電気的に接続された少なくとも１個の受電地点の各受電地点に設置されたＳＭ１０４０を特定するＳＭ ＩＤ２３４１を含む一覧情報を保存する。
【００８５】
柱上トランスＩＤ２３２０が各柱上トランス１１００を特定する他の情報に置き換えられてもよい。受電地点ＩＤ２３４０が各受電地点を特定する他の情報に置き換えられてもよい。ＳＭ ＩＤ２３４１が、ＳＭ１０４０を特定する他の情報に置き換えられてもよい。
【００８６】
選定部１１６３は、一覧情報保存部２１６７から一覧情報を取得し、取得した一覧情報に基づいて同一の柱上トランス１０８０に電気的に接続された２個以上の受電地点のそれぞれに設置された２個以上のＳＭを特定し、特定した２個以上のＳＭから収集対象１２００を選定する場合に、特定した２個以上のＳＭからただ１個の収集対象１２００を選定する。
【００８７】
図４は、実施の形態２の電圧逸脱検出装置において行われる、電圧統計情報を収集する処理のフローの例を図示する図でもある。したがって、実施の形態２の電圧逸脱検出装置２１４０においては、実施の形態１の電圧逸脱検出装置１１４０と同様に電圧統計情報１０８０が収集される。
【００８８】
図９は、実施の形態２の電圧逸脱検出装置において行われる、一覧情報を用いて瞬時電圧値を収集する処理のフローの例を図示する図である。
【００８９】
瞬時電圧値１０８１を収集する処理においては、図９に図示されたステップＳ２１１からＳ２１７までが順次に実行される。
【００９０】
ステップＳ２１１からＳ２１７までにおいては、それぞれ図５に図示されたステップＳ１１１からＳ１１７までと同様の処理が行われる。
【００９１】
ただし、ステップＳ２１２においては、選定部１１６３が、一覧情報保存部２１６７から一覧情報を取得し、同一の柱上トランスに電気的に接続された２個以上の受電地点にそれぞれ設置された２個以上のＳＭを特定し、特定した２個以上のＳＭからただ１個の収集対象１１８０を選定する。実施の形態２においては、特定した２個以上のスマートメーターからただ１個の収集対象１１８０を選定する方法は制限されない。
【００９２】
図８に図示された情報２２８０からは、柱上トランスＩＤ「tr579832」により特定される柱上トランスに、受電地点ＩＤ「p12984384」及び「p53289183」により特定される２個の受電地点が電気的に接続され、当該２個の受電地点に、それぞれＳＭ ＩＤ「ABC12345」及び「ABD22458」により特定される２個のＳＭが設置されていることが把握できる。選定部１１６３は、このような場合に、電圧統計情報１０８０に基づいて当該２個のＳＭから収集対象１１８０を選定するときは、ＳＭ ＩＤ「ABC12345」又は「ABD22458」により特定されるただ１個の収集対象１１８０を選定する。
【００９３】
各柱上トランス１０８０の２次側の電圧値は、各柱上トランス１０８０の１次側の電圧値、及び各柱上トランス１０８０に電気的に接続された少なくとも１個の受電地点の負荷状態により概ね決定される。このため、同一の柱上トランス１０８０に２個以上の受電地点が電気的に接続されている場合は、当該２個以上の受電地点における電圧値はほぼ同一である。このため、当該２個以上の受電地点にそれぞれ設置された２個以上のＳＭから収集対象１１８０を選定する場合にただ１個の収集対象１１８０に絞って選定を行うことにより、ほぼ同一の瞬時電圧値１０８１を収集する処理をなくすことができ、ＳＭ向け通信インフラストラクチャー１０２２を構成するネットワークに与える負荷をさらに減らすことができる。
【００９４】
図６は、実施の形態２の電圧逸脱検出装置において行われる、電圧の逸脱を検出する処理のフローの例を図示する図でもある。したがって、実施の形態２の電圧逸脱検出装置２１４０においては、実施の形態１の電圧逸脱検出装置１１４０と同様に電圧の逸脱が検出される。
【００９５】
実施の形態２においても、実施の形態１と同様に、ＳＭ向け通信インフラストラクチャー１０２２を構成するネットワークの帯域を逼迫させることなく受電地点における電圧の逸脱を検出することができる。
【００９６】
３  実施の形態３
図１０は、実施の形態３の電圧逸脱検出装置を含む電圧逸脱検出システムを図示するブロック図である。
【００９７】
図１０に図示された実施の形態３の電圧逸脱検出装置３１４０は、実施の形態１の電圧逸脱検出装置１１４０と同様に、収集部１１６０、電圧統計情報保存部１１６１、瞬時電圧値保存部１１６２、選定部１１６３、収集対象保存部１１６４、判定部１１６５及び逸脱情報保存部１１６６を備える。加えて、実施の形態３の電圧逸脱検出装置３１４０は、通信成功率保存部３１６８を備える。
【００９８】
実施の形態３の電圧逸脱検出装置３１４０に設けられた収集部１１６０、電圧統計情報保存部１１６１、瞬時電圧値保存部１１６２、選定部１１６３、収集対象保存部１１６４、判定部１１６５及び逸脱情報保存部１１６６の各要素は、実施の形態１の電圧逸脱検出装置１１４０に設けられた同名の要素と同様に動作しうる。また、図２は、実施の形態３の電圧逸脱検出装置における電圧統計情報及び瞬時電圧値の収集を説明する図でもある。また、図３は、実施の形態３の電圧逸脱検出装置に設けられた収集対象保存部に保存された情報の例を図示する図でもある。
【００９９】
複数のＳＭ１０２１の各ＳＭ１０４０は、センターサーバ１０２３と通信する。
【０１００】
通信成功率保存部３１６８は、各ＳＭ１０４０とセンターサーバ１０２３との疎通に関する成功率を示す各ＳＭ１０４０の通信成功率を保存する。
【０１０１】
図１１は、実施の形態３の電圧逸脱検出装置に設けられた通信成功率保存部に保存された情報の例を図示する図である。
【０１０２】
図１１に図示された情報３３６０は、通信成功率保存部３１６８に保存され、各ＳＭ１０４０を特定する情報であるＳＭ ＩＤ３３８０を含み、ＳＭ ＩＤ３３８０に紐づけられた、各ＳＭ１０４０とセンターサーバ１０２３との疎通に関する成功率を示す各ＳＭ１０４０の通信成功率３３８１を含む。各ＳＭ１０４０の通信成功率３３８１は、０以上１以下の値で表される。各ＳＭ１０４０の通信成功率３３８１が０であることは、各ＳＭ１０４０とセンターサーバ１０２３との疎通ができず、各ＳＭ１０４０がセンターサーバ１０２３と全く通信できないことを意味する。各ＳＭ１０４０の通信成功率３３８１が１であることは、各ＳＭ１０４０がセンターサーバ１０２３と常に疎通でき、各ＳＭ１０４０がセンターサーバ１０２３と常に通信できることを意味する。
【０１０３】
選定部１１６３は、通信成功率保存部３１６８から各ＳＭ１０４０の通信成功率３３８１を取得し、通信成功率が高い順に収集対象１１８０を選定する。
【０１０４】
図４は、実施の形態３の電圧逸脱検出装置において行われる、電圧統計情報を収集する処理のフローの例を図示する図でもある。したがって、実施の形態３の電圧逸脱検出装置３１４０においては、実施の形態１の電圧逸脱検出装置１１４０と同様に電圧統計情報１０８０が収集される。
【０１０５】
図１２は、実施の形態３の電圧逸脱検出装置において行われる、通信成功率を用いて瞬時電圧値を収集する処理のフローの例を図示する図である。
【０１０６】
瞬時電圧値１０８１を収集する処理においては、図１２に図示されたステップＳ３１１からＳ３１７までが順次に実行される。
【０１０７】
ステップＳ３１１からステップＳ３１７においては、それぞれ図５に図示されたステップＳ１１１からＳ１１７までと同様の処理が行われる。
【０１０８】
ただし、ステップＳ３１２においては、選定部１１６３が、通信成功率保存部３１６８から各ＳＭ１０４０の通信成功率３３８１を取得する。
【０１０９】
また、ステップＳ３１３においては、選定部１１６３が、通信成功率が高い順に収集対象１１８０を特定する情報であるＳＭ ＩＤを収集対象保存部１１６４に格納する。
【０１１０】
また、ステップＳ３１４においては、収集部１１６０が、通信成功率が高い順に収集対象１１８０を特定する情報であるＳＭ ＩＤを取得する。
【０１１１】
また、ステップＳ３１５においては、収集部１１６０が、通信成功率が高い順にＳＭ ＩＤにより特定される収集対象１１８０に計測送信要求を送信する。
【０１１２】
複数のＳＭ１０２１とセンターサーバ１０２３との間のデータの送受信においては、ＳＭ向け通信インフラストラクチャー１０２２を構成するネットワークに過大な負荷を与えないようにするために、単位時間当たりの電文の送受信数が制限されている場合がある。このような場合であっても、通信成功率が高い順に収集対象１１８０に計測送信要求を送信することにより、収集することができる瞬時電圧値１０８１を増やすことができる。
【０１１３】
図６は、実施の形態３の電圧逸脱検出装置において行われる、電圧の逸脱を検出する処理のフローの例を図示する図でもある。したがって、実施の形態３の電圧逸脱検出装置３１４０においては、実施の形態１の電圧逸脱検出装置１１４０と同様に電圧の逸脱が検出される。
【０１１４】
実施の形態３においても、実施の形態１と同様に、ＳＭ向け通信インフラストラクチャー１０２２を構成するネットワークの帯域を逼迫させることなく受電地点における電圧の逸脱を検出することができる。
【０１１５】
実施の形態３の技術が実施の形態２の技術と組み合わされた場合は、選定部１１６３が、２個以上のＳＭからただ１個の収集対象１１８０を選定する際に、２個以上のＳＭにおいて最高の通信成功率を有するＳＭ１０４０を収集対象１１８０とする。これにより、統計的に瞬時電圧値１０８１を収集することができる可能性が高いＳＭ１０４０が収集対象１１８０になり、瞬時電圧値１０８１の収集率を高くすることができる。
【０１１６】
４  実施の形態４
図１３は、実施の形態４の電圧逸脱検出装置を含む電圧逸脱検出システムを図示するブロック図である。
【０１１７】
図１３に図示された実施の形態４の電圧逸脱検出装置４１４０は、実施の形態２の電圧逸脱検出装置２１４０と同様に、収集部１１６０、電圧統計情報保存部１１６１、瞬時電圧値保存部１１６２、選定部１１６３、収集対象保存部１１６４、判定部１１６５、逸脱情報保存部１１６６及び一覧情報保存部２１６７を備える。加えて、実施の形態４の電圧逸脱検出装置４１４０は、設備情報保存部４１６９、契約情報保存部４１７０、推定部４１７１及び推定結果保存部４１７２を備える。
【０１１８】
実施の形態４の電圧逸脱検出装置４１４０に設けられた収集部１１６０、電圧統計情報保存部１１６１、瞬時電圧値保存部１１６２、選定部１１６３、収集対象保存部１１６４、判定部１１６５、逸脱情報保存部１１６６及び一覧情報保存部２１６７の各要素は、実施の形態２の電圧逸脱検出装置２１４０に設けられた同名の要素と同様に動作しうる。また、図２は、実施の形態４の電圧逸脱検出装置における電圧統計情報及び瞬時電圧値の収集を説明する図でもある。また、図３は、実施の形態４の電圧逸脱検出装置に設けられた収集対象保存部に保存された情報の例を図示する図でもある。
【０１１９】
収集部１１６０は、センターサーバ１０２３により受信された瞬時電流値を取得し、取得した瞬時電流値を瞬時電圧値保存部１１６２に格納する。これにより、収集部１１６０は、複数の収集対象１１８０の各収集対象１２００からＳＭ向け通信インフラストラクチャー１０２２を介して瞬時電流値を収集する。また、瞬時電圧値保存部１１６２は、収集された瞬時電流値を保存する。
【０１２０】
設備情報保存部４１６９は、複数の柱上トランス１０６２の各柱上トランス１１００に電気的に接続された少なくともひとつの受電地点の各受電地点を各柱上トランス１１００に電気的に接続する配電線の線路抵抗値を保存する。
【０１２１】
契約情報保存部４１７０は、各柱上トランス１１００に電気的に接続された少なくともひとつの受電地点の各受電地点の需要家の契約内容を保存する。契約内容は、契約電流、発電設備電力容量等を含む。
【０１２２】
図１４は、実施の形態４の電圧逸脱検出装置を含む電圧逸脱検出システムに設けられた設備の例を模式的に図示する図である。
【０１２３】
図１４に図示された設備４５００は、収集対象１１８０が設置された受電地点４５２０、及び受電地点４５２０が電気的に接続された柱上トランス４５４０に電気的に接続された少なくとも１個の隣接受電地点の各隣接受電地点４５２１を備える。設備情報保存部４１６９は、受電地点４５２０を柱上トランス４５４０に電気的に接続する配電線４５６０の線路抵抗値Ｚａ、及び各隣接受電地点４５２１を柱上トランス４５４０に電気的に接続する配電線４５６１の線路抵抗値Ｚｂを保存する。契約情報保存部４１７０は、各隣接受電地点４５２１の需要家４５８１の契約内容を保存する。
【０１２４】
推定部４１７１は、収集対象１１８０から収集された瞬時電圧値Ｖａ（瞬時電圧値１０８１）及び瞬時電流値Ｉａを瞬時電圧値保存部１１６２から取得する。また、推定部４１７１は、一覧情報保存部２１６７から一覧情報を取得し、取得した一覧情報に基づいて受電地点４５２０が電気的に接続された柱上トランス４５４０に電気的に接続された少なくとも１個の隣接受電地点を特定する。また、推定部４１７１は、設備情報保存部４１６９を検索し、配電線４５６０の線路抵抗値Ｚａ、及び配電線４５６１の線路抵抗値Ｚｂを取得する。また、推定部４１７１は、契約情報保存部４１７０を検索し、需要家４５８１の契約内容を取得する。また、推定部４１７１は、取得した瞬時電圧値Ｖａ、瞬時電流値Ｉａ、線路抵抗値Ｚａ、線路抵抗値Ｚｂ及び需要家４５８１の契約内容に基づいて各隣接受電地点４５２１における電圧の逸脱の可能性の有無の推定を行う。また、推定部４１７１は、推定の結果を推定結果保存部４１７２に格納する。これにより、推定結果保存部４１７２は、推定の結果を保存する。
【０１２５】
図１５は、実施の形態４の電圧逸脱検出装置に設けられた推定結果保存部に保存された推定の結果の例を図示する図である。
【０１２６】
図１５に図示された推定の結果４６００は、推定結果保存部４１７２に保存され、複数の受電地点ＩＤ４６２０を含み、複数の受電地点ＩＤ４６２０の各受電地点ＩＤ４６４０に紐づけられた時刻４６４１、逸脱方向４６４２及び電圧推定値４６４３を含む。複数の受電地点ＩＤ４６２０は、それぞれ電圧の逸脱の可能性がある複数の受電地点を特定する情報である。各受電地点ＩＤ４６４０に紐づけられた時刻４６４１は、各受電地点ＩＤ４６４０により特定される受電地点における電圧の逸脱の可能性がある時刻である。各受電地点ＩＤ４６４０に紐づけられた逸脱方向４６４２は、各受電地点ＩＤ４６４０により特定される受電地点における電圧の推定される逸脱方向である。電圧の推定される逸脱方向は、規定された範囲に対する電圧の高低により表される。各受電地点ＩＤ４６４０に紐づけられた電圧推定値４６４３は、各受電地点ＩＤ４６４０により特定される受電地点における推定される電圧である。推定される逸脱方向が規定された範囲に対して高い方向である場合は、推定電圧値は、推定最大電圧値である。推定される逸脱方向が規定された範囲に対して低い方向である場合は、推定電圧値は、推定最小電圧値である。
【０１２７】
図４は、実施の形態４の電圧逸脱検出装置において行われる、電圧統計情報を収集する処理のフローの例を図示する図でもある。したがって、実施の形態４の電圧逸脱検出装置４１４０においては、実施の形態１の電圧逸脱検出装置１１４０と同様に電圧逸脱情報１０８０が収集される。
【０１２８】
図５は、実施の形態４の電圧逸脱検出装置において行われる、瞬時電圧値を収集する処理のフローの例を図示する図でもある。したがって、実施の形態４の電圧逸脱検出装置４１４０においては、実施の形態１の電圧逸脱検出装置１１４０と同様に瞬時電圧値１０８１が収集される。
【０１２９】
ただし、Ｓ１１５においては、収集部１１６０が、各収集対象１２００が瞬時電流値を計測し計測した瞬時電流値を収集部１１６０に送信することの要求を計測送信要求に含める。
【０１３０】
また、ステップＳ１１６においては、各収集対象１２００が、瞬間電流値を計測し、計測した瞬間電流値を送信する。
【０１３１】
また、ステップＳ１１７においては、収集部１１６０が、瞬時電流値を受信し、受信した瞬時電流値を瞬時電圧値保存部１１６２に格納する。
【０１３２】
図１６は、実施の形態４の電圧逸脱検出装置において行われる、電圧の逸脱を推定する処理のフローの例を図示する図である。
【０１３３】
電圧の逸脱を推定する処理においては、図１６に図示されたステップＳ４２１からＳ４２６までが順次に実行される。
【０１３４】
ステップＳ４２１においては、推定部４１７１が、収集対象１１８０から収集された瞬時電圧値Ｖａ及び瞬時電流値Ｉａを瞬時電圧値保存部１１６２から取得する。
【０１３５】
続くステップＳ４２２においては、推定部４１７１が、収集対象１２００が設置された受電地点４５２０が電気的に接続された柱上トランス４５４０に電気的に接続された少なくとも１個の隣接受電地点の一覧を一覧情報保存部２１６７から取得する。
【０１３６】
続くステップＳ４２３においては、推定部４１７１が、設備情報保存部４１６９を検索し、線路抵抗値Ｚａ及び線路抵抗値Ｚｂを取得する。
【０１３７】
続くステップＳ４２４においては、推定部４１７１が、契約情報保存部４１７０を検索し、需要家４５８１の契約内容を示す契約情報を取得する。
【０１３８】
続くステップＳ４２５においては、推定部４１７１が、各隣接受電地点４５２１における電圧の逸脱の可能性の有無を推定する。
【０１３９】
続くステップＳ４２６においては、推定部４１７１が、推定の結果４６００を推定結果保存部４１７２に格納する。
【０１４０】
以下では、各隣接受電地点４５２１における電圧の逸脱の可能性の有無の推定、及び推定の結果４６００の格納をより詳細に説明する。
【０１４１】
推定部４１７１は、収集対象１１８０から収集された瞬時電圧値Ｖａ及び瞬時電流値Ｉａから、線路抵抗値Ｚａ及び線路抵抗値Ｚｂに基づいて、各隣接受電地点４５２１における電圧値を推定し、推定した電圧値を推定結果保存部４１７２に格納する。
【０１４２】
柱上トランス４５４０の２次側の電圧値Ｖは、瞬時電圧値Ｖａ、瞬時電流値Ｉａ及び線路抵抗値Ｚａを用いて、式（１）により表される。ここで、力率は１であるとした。
【０１４３】
【数１】
2019176091.tif 000003
【０１４４】
需要家４５８１において契約上の最大の負荷が発生している場合でも各隣接受電地点４５２１における電圧値が規定された範囲の下限を下回らない場合は、各隣接受電地点４５２１における電圧値が規定された範囲の下限を下回ることはない。そこで需要家４５８１において契約上の最大の負荷が発生している場合の各隣接受電地点４５２１における電圧値の推定値である推定最小電圧値が推定される。
【０１４５】
需要家４５８１において契約上の最大の負荷が発生している場合の、柱上トランス４５４０の２次側の電圧値Ｖに対する各隣接受電地点４５２１における電圧値の最大電圧降下幅Ｖｓは、各隣接受電地点４５２１の需要家４５８１の契約電流Ｉｂ、及び配電線４５６１の線路抵抗値Ｚｂを用いて、式（２）により表される。
【０１４６】
【数２】
2019176091.tif 000004
【０１４７】
推定部４１７１は、最大電圧降下幅Ｖｓを用いて推定最小電圧値Ｖ−Ｖｓを計算する。
【０１４８】
一方、需要家４５８１が負荷を発生させるのではなく発電を行う場合は、需要家４５８１が最大の発電量を発電している場合の、柱上トランス４５４０の２次側の電圧値Ｖに対する各隣接受電地点４５２１における電圧値の最大電圧上昇幅Ｖｒは、需要家４５８１の発電設備電力容量Ｋ、各隣接受電地点４５２１の容量Ｖｒａｔｅｄ、及び線路抵抗値Ｚｂを用いて、式（３）により表される。
【０１４９】
【数３】
2019176091.tif 000005
【０１５０】
推定部４１７１は、最大電圧上昇幅Ｖｒを用いて、推定最大電圧値Ｖ＋Ｖｒを計算する。
【０１５１】
推定部４１７１は、計算した推定最小電圧値Ｖ−Ｖｓが規定された範囲の下限を下回っておらず、計算した推定最大電圧値Ｖ＋Ｖｒが規定された範囲の上限を上回っていない場合は、各隣接受電地点４５２１における電圧の規定された範囲からの逸脱の可能性が無いと判定する。
【０１５２】
また、推定部４１７１は、計算した推定最小電圧値Ｖ−Ｖｓが規定された範囲の下限を下回っている場合は、各隣接受電地点４５２１における電圧の規定された範囲からの逸脱の可能性が有ると推定し、各隣接受電地点４５２１を特定する情報である受電地点ＩＤとともに、時刻、逸脱方向及び推定最小電圧値を推定結果保存部４１７２に格納する。
【０１５３】
また、推定部４１７１は、計算した推定最大電圧値Ｖ＋Ｖｒが規定された範囲の上限を上回っている場合は、各隣接受電地点４５２１における電圧の規定された範囲からの逸脱の可能性が有ると推定し、各隣接受電地点４５２１を特定する情報である受電地点ＩＤとともに、時刻、逸脱方向及び推定最大電圧値を推定結果保存部４１７２に格納する。
【０１５４】
選定部１１６３が、電圧の逸脱の可能性があると推定された受電地点に設置されたＳＭを収集対象に選定してもよい。これにより、電圧の逸脱の発生を調査する際の範囲を絞ることが可能である。
【０１５５】
実施の形態４においても、実施の形態１と同様に、ＳＭ向け通信インフラストラクチャー１０２２を構成するネットワークの帯域を逼迫させることなく受電地点における電圧の逸脱を検出することができる。
【０１５６】
また、実施の形態４によれば、収集対象１１８０でないＳＭが設置された受電地点における電圧の逸脱の可能性の有無を推定することができる。
【０１５７】
５  実施の形態５
図１７は、実施の形態５の電圧逸脱検出装置を含む電圧逸脱検出システムを図示するブロック図である。
【０１５８】
図１７に図示された実施の形態５の電圧逸脱検出装置５１４０は、実施の形態１の電圧逸脱検出装置１１４０と同様に、収集部１１６０、電圧統計情報保存部１１６１、瞬時電圧値保存部１１６２、選定部１１６３、収集対象保存部１１６４、判定部１１６５及び逸脱情報保存部１１６６を備える。加えて、実施の形態５の電圧逸脱検出装置５１４０は、通信時間計算部５１７３、通信時間保存部５１７４、混雑度推定部５１７５及び推定混雑度保存部５１７６を備える。
【０１５９】
実施の形態５の電圧逸脱検出装置５１４０に設けられた収集部１１６０、電圧統計情報保存部１１６１、瞬時電圧値保存部１１６２、選定部１１６３、収集対象保存部１１６４、判定部１１６５及び逸脱情報保存部１１６６の各要素は、実施の形態１の電圧逸脱検出装置１１４０に設けられた同名の要素と同様に動作しうる。また、図２は、実施の形態５の電圧逸脱検出装置における電圧統計情報及び瞬時電圧値の収集を説明する図でもある。また、図３は、実施の形態５の電圧逸脱検出装置に設けられた収集対象保存部に保存された情報の例を図示する図でもある。
【０１６０】
複数のＳＭ１０２１の各ＳＭ１０４０は、センターサーバ１０２３と通信する。
【０１６１】
通信時間計算部５１７３は、各ＳＭ１０４０が電文を送信した時刻、及びセンターサーバ１０２３が当該電文を受信した時刻から、各ＳＭ１０４０が通信に要した時間を示す各ＳＭ１０４０の通信時間を計算する。また、通信時間計算部５１７３は、計算した各ＳＭ１０４０の通信時間を通信時間保存部５１７４に格納する。これにより、通信時間保存部５１７４は、各ＳＭ１０４０の通信時間を保存する。各ＳＭ１０４０の通信時間の計算に用いられる電文は、電圧統計情報１０８０又は瞬時電圧値１０８１である場合もあるし、電圧統計情報１０８０及び瞬時電圧値１０８１以外の電文である場合もある。各ＳＭ１０４０の通信時間は、各ＳＭ１０４０が電文を送信した時刻からセンターサーバ１０２３が当該電文を受信した時刻までの時間である。各ＳＭ１０４０が電文を送信した時刻は、当該電文内に記録される。センターサーバ１０２３が電文を受信した時刻は、センターサーバ１０２３に設けられた受信部により記録される。
【０１６２】
図１８は、実施の形態５の電圧逸脱検出装置に設けられた通信時間保存部に保存された情報の例を図示する図である。
【０１６３】
図１８に図示された情報５６６０は、通信時間保存部５１７４に保存され、複数のＳＭ ＩＤ５６８０を含み、複数のＳＭ ＩＤ５６８０の各ＳＭ ＩＤ５７００に紐づけられた送信時刻５７０１及び通信時間５７０２を含む。複数のＳＭ ＩＤ５６８０は、それぞれ複数のＳＭ１０２１を特定する情報である。各ＳＭ ＩＤ５７００に紐づけられた送信時刻５７０１は、各ＳＭ ＩＤ５７００により特定されるＳＭ１０４０が電文を送信した時刻である。各ＳＭ ＩＤ５７００に紐づけられた通信時間５７０２は、各ＳＭ ＩＤ５７００により特定されるＳＭ１０４０の通信時間である。
【０１６４】
混雑度推定部５１７５は、通信時間保存部５１７４から各ＳＭ１０４０の通信時間５７０２を取得する。また、混雑度推定部５１７５は、取得した各ＳＭ１０４０の通信時間５７０２を複数の時間帯に分類し、複数の時間帯の各時間帯に分類された各ＳＭ１０４０の通信時間５７０２に基づいて各時間帯における各ＳＭ１０４０の通信の混雑度を推定し、推定した混雑度を示す指標を生成する。また、混雑度推定部５１７５は、生成した指標を推定混雑度保存部５１７６に格納する。これにより、推定混雑度保存部５１７６は、指標を保存する。指標の格納は、指標により示される、推定された混雑度が低い順に行われる。
【０１６５】
図１９は、実施の形態５の電圧逸脱検出装置に設けられた推定混雑度保存部に保存された情報の例を図示する図である。
【０１６６】
図１９に図示された情報５７２０は、推定混雑度保存部５１７６に保存され、複数の時間帯インデックス５７４０を含み、複数の時間帯インデックス５７４０の各時間帯インデックス５７６０に紐づけられたＳＭ ＩＤ５７６１及び指標５７６２を含む。複数の時間帯インデックス５７４０は、それぞれ複数の時間帯を特定する情報である。各時間帯インデックス５７６０に紐づけられた指標５７６２は、各時間帯インデックス５７６０により特定される時間帯における、各時間帯インデックス５７６０に紐づけられたＳＭ ＩＤ５７６１により特定されるＳＭの推定された混雑度を示す。
【０１６７】
情報５７２０においては、複数の時間帯の各時間帯が３０分の長さを有する。情報５７２０は、時間帯インデックス「２４」により特定される１１時３０分から１２時までの時間帯における、ＳＭ ＩＤ「ABC12345」により特定されるＳＭの推定された混雑度が、指標「-00:00:19」で示されることを表す。指標「-00:00:19」は、通信時間が平均的な通信時間よりも１９秒短いことを意味する。また、情報５７２０は、時間帯インデックス「２４」により特定される１１時３０分から１２時までの時間帯における、ＳＭ ＩＤ「ABD22458」により特定されるＳＭの推定された混雑度が、指標「-00:00:10」で表されることを示す。指標「-00:00:10」は、通信時間が平均的な通信時間よりも１０秒短いことを意味する。したがって、情報５７２０によれば、１１時３０分から１２時までの時間帯においては、ＳＭ ＩＤ「ABC12345」により特定されるＳＭに対する通信の方が、ＳＭ ＩＤ「ABD22458」により特定されるＳＭに対する通信より速いことを予想することができる。
【０１６８】
収集部１１６０は、同一の時間帯に２個以上の収集対象から瞬時電圧値１０８１を収集する場合に、同一の時間帯における２個以上の収集対象の各収集対象の通信の推定された混雑度を示す指標を推定混雑度推定部５１７５から取得し、取得した指標により示される推定された混雑度が低い順に各収集対象１２００から瞬時電圧値１０８１を収集する。
【０１６９】
図４は、実施の形態５の電圧逸脱検出装置において行われる、電圧統計情報を収集する処理のフローの例を図示する図でもある。したがって、実施の形態５の電圧逸脱検出装置５１４０においては、実施の形態１の電圧逸脱検出装置１１４０と同様に電圧統計情報１０８０が収集される。
【０１７０】
図５は、実施の形態５の電圧逸脱検出装置において行われる、瞬時電圧値を収集する処理のフローの例を図示する図である。したがって、実施の形態５の電圧逸脱検出装置５１４０においては、実施の形態１の電圧逸脱検出装置１１４０と同様に瞬時電圧値１０８１が収集される。
【０１７１】
図６は、実施の形態５の電圧逸脱検出装置において行われる、電圧の逸脱を検出する処理のフローの例を図示する図でもある。したがって、実施の形態５の電圧逸脱検出装置５１４０においては、実施の形態１の電圧逸脱検出装置１１４０と同様に電圧の逸脱が検出される。
【０１７２】
図２０は、実施の形態５の電圧逸脱検出装置において行われる、混雑度を推定する処理のフローの例を図示する図である。
【０１７３】
図２０に図示された混雑度を推定する処理においては、ステップＳ５３１及びＳ５３２が順次に実行される。
【０１７４】
ステップＳ５３１においては、混雑度推定部５１７５が、通信時間保存部５１７４から各ＳＭ１０４０の通信時間を取得し、通信時間の一覧を取得する。また、混雑度推定部５１７５は、取得した各ＳＭ１０４０の通信時間５７０２を複数の時間帯に分類する。複数の時間帯の各時間帯の長さは、１日を４等分した６時間であってもよいし、検針のために計測された電力量を収集する間隔に一致する３０分であってもよい。また、混雑度推定部５１７５は、各時間帯について、各時間帯に分類された各ＳＭ１０４０の少なくともひとつの通信時間の平均値である時間帯別平均値を計算する。その後に、混雑度推定部５１７５は、各ＳＭ１０４０の少なくともひとつの通信時間の平均値である全時間帯平均値を計算する。また、混雑度推定部５１７５は、各時間帯についての時間帯別平均値から全時間帯平均値を減じることにより、各時間帯についての時間帯別平均値と全時間帯平均値の差である指標５７６２を得る。得られた指標５７６２は、各時間帯における各ＳＭ１０４０の推定された混雑度を示す。
【０１７５】
ここで、各ＳＭ１０４０の推定された混雑度の計算を定式化する。複数の時間帯の総数をｌとし、時間帯に付与されたインデックスをｉとし、時間帯ｉに送信された電文をＭｉ（ｋ）とし、電文の通信時間をＴ（Ｍｉ（ｋ））とした場合は、時間帯別平均値は、式（４）により表される。ここで、ｋは、電文に付与されたインデックスであり、時間帯ｉに送信された電文の総数は、Ｎｉであるとした。ｋ及びＮｉは、０≦ｋ≦Ｎｉという条件を満たす。式（４）により表される時間帯別平均値は、各ＳＭ１０４０について計算される。
【０１７６】
【数４】
2019176091.tif 000006
【０１７７】
続くステップＳ５３２においては、混雑度推定部５１７５が、得た指標５７６２を推定混雑度保存部５１７６に格納する。
【０１７８】
図２１は、実施の形態５の電圧逸脱検出装置において行われる、推定された混雑度を用いて瞬時電圧値を収集する処理の処理フローの例を図示する図である。
【０１７９】
図２１に図示された推定された混雑度を用いて瞬時電圧値１０８１を収集する処理においては、ステップＳ５４１からＳ５４７までが順次に実行される。以下では、実施の形態５の電圧逸脱検出装置５１４０に固有のステップＳ５４２及びＳ５４３について説明する。
【０１８０】
選定部１１６３が同一の時間帯に瞬時電圧値１０８１を収集する２個以上の収集対象を選定する場合は、ステップＳ５４２において、選定部１１６３が、推定混雑度保存部５１７６から２個以上の収集対象の各々の推定された混雑度を示す指標を取得する。また、ステップＳ５４３において、選定部１１６３が、取得した指標により示される推定された混雑度が低い順に計測送信要求を収取対象に送信するように収集対象保存部１１６４における収集対象の順番を設定する。これにより、収集部１１６０は、同一の時間帯に２個以上の収集対象から瞬時電圧値を収集する場合に、同一の時間帯における推定された混雑度が低い順に収集対象から瞬時電圧値を収集する。
【０１８１】
複数のＳＭ１０２１とセンターサーバ１０２３との間の電文の送受信においては、ＳＭ向け通信インフラストラクチャー１０２２を構成するネットワークに過大な負荷を与えないようにするために、単位時間当たりの電文の送受信数が制限されている場合がある。このような場合であっても、推定された混雑度が低い順に収集対象に計測送信要求を送信し瞬時電圧値を収集することにより、収集することができる瞬時電圧値を増やすことができる。
【０１８２】
実施の形態５の技術が実施の形態２の技術と組み合わされた場合は、選定部１１６３が、２個以上のＳＭからただ１個の収集対象を選定する際に、２個以上のＳＭにおいて最低の推定混雑度を有するＳＭを選定されるただ１個の収集対象とする。これにより、瞬時電圧値の収集率を高くすることができる。
【０１８３】
実施の形態５においても、実施の形態１と同様に、ＳＭ向け通信インフラストラクチャー１０２２を構成するネットワークの帯域を逼迫させることなく受電地点における電圧の逸脱を検出することができる。
【０１８４】
なお、本発明は、その発明の範囲内において、実施の形態を適宜、変形、省略することが可能である。
【０１８５】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【０１８６】
１０００  電圧逸脱検出システム、１０２０  電力配電系統、１０２２  ＳＭ向け通信インフラストラクチャー、１０２３  センターサーバ、１０４０  ＳＭ、１０８０  電圧統計情報、１０８１  瞬時電圧値、１１００  柱上トランス、１１４０，２１４０，３１４０，４１４０，５１４０  電圧逸脱検出装置、１１６０  収集部、１１６１  電圧統計情報保存部、１１６２  瞬時電圧値保存部、１１６３  選定部、１１６４  収集対象保存部、１１６５  判定部、１１６６  逸脱情報保存部、１２００  収集対象、２１６７  一覧情報保存部、３１６８  通信成功率保存部、４１６９  設備情報保存部、４１７０  契約情報保存部、４１７１  推定部、４１７２  推定結果保存部、５１７３  通信時間計算部、５１７４  通信時間保存部、５１７５  混雑度推定部、５１７６  推定混雑度保存部。
【図１】
2019176091.tif 000007
【図２】
2019176091.tif 000008
【図３】
2019176091.tif 000009
【図４】
2019176091.tif 000010
【図５】
2019176091.tif 000011
【図６】
2019176091.tif 000012
【図７】
2019176091.tif 000013
【図８】
2019176091.tif 000014
【図９】
2019176091.tif 000015
【図１０】
2019176091.tif 000016
【図１１】
2019176091.tif 000017
【図１２】
2019176091.tif 000018
【図１３】
2019176091.tif 000019
【図１４】
2019176091.tif 000020
【図１５】
2019176091.tif 000021
【図１６】
2019176091.tif 000022
【図１７】
2019176091.tif 000023
【図１８】
2019176091.tif 000024
【図１９】
2019176091.tif 000025
【図２０】
2019176091.tif 000026
【図２１】
2019176091.tif 000027
【国際調査報告】
2019176091.tif 000028
2019176091.tif 000029
2019176091.tif 000030
2019176091.tif 000031